(57)【要約】【課題】少ない個数のフレームで音声などのデジタルデータを送信または受信する。【解決手段】音声伝送用フレームＦは、複数のチャンネルのうちの一つＣＨ１〜ＣＨ６のいずれかに対応づけられた楽曲データと、当該楽曲データが対応するチャンネルの番号とが記録されたチャンネル音声領域Ｆ４、Ｆ５、Ｆ５０を複数有し、チャンネル音声領域Ｆ４、Ｆ５、Ｆ５０の各々には、各々異なるチャンネル番号ＣＨ１〜ＣＨ６が記録されている。【選択図】図７
2012133369.tif 000002
【特許請求の範囲】
【請求項１】
音声および画像の一方または双方を複数のチャンネルに分けて記録した音声・画像情報を、前記チャンネルごとに受ける音声・画像情報受理手段と、
前記チャンネルごとの音声・画像情報であるチャンネル音声・画像データを、チャンネル識別情報に対応付けて、チャンネル音声・画像情報を生成するチャンネル音声・画像生成手段と、
複数のチャンネルに関する前記チャンネル音声・画像情報を有する音声・画像伝送用フレームを形成するフレーム形成手段と、
を備え、
複数の前記音声・画像伝送用フレームにおける前記チャンネル識別情報が、複数のチャンネルの全てに対応するものである、
音声・画像伝送用フレーム形成装置。
【請求項２】
請求項１に記載の音声・画像伝送用フレーム形成装置であって、
前記音声・画像伝送用フレームを送信する音声・画像伝送用フレーム送信手段を備えた音声・画像伝送用フレーム形成装置。
【請求項３】
請求項２に記載の音声・画像伝送用フレーム形成装置であって、
前記音声・画像伝送用フレーム送信手段が、電力線通信が可能な媒体を介して、前記音声・画像伝送用フレームを送信する音声・画像伝送用フレーム形成装置。
【請求項４】
請求項３に記載の音声・画像伝送用フレーム形成装置であって、
前記音声・画像伝送用フレームの間隔は、前記電力線通信が可能な媒体に接続された電源の周期の整数倍である音声・画像伝送用フレーム形成装置。
【請求項５】
複数のチャンネルのうちの一つに対応づけられたチャンネル音声・画像データと、当該チャンネル音声・画像データが対応するチャンネルのチャンネル識別情報と、が記録されたチャンネル音声・画像領域を複数有する音声・画像伝送用フレームを受信する音声・画像伝送用フレーム受信手段と、
受信された前記音声・画像伝送用フレームから、前記複数のチャンネルのうちのいずれか一つ以上である所定の受信対象チャネルに対応する前記チャンネル音声・画像データを取得するチャンネル音声・画像データ取得手段と、
を備え、
前記チャンネル音声・画像領域の各々には、各々異なる前記チャンネル識別情報が記録されており、
複数の前記音声・画像伝送用フレームにおける前記チャンネル識別情報が、複数のチャンネルの全てに対応するものである、
音声・画像伝送用フレーム受信装置。
【請求項６】
請求項５に記載の音声・画像伝送用フレーム受信装置であって、
前記音声・画像伝送用フレーム受信手段が、電力線通信が可能な媒体を介して、前記音声・画像伝送用フレームを受信する音声・画像伝送用フレーム受信装置。
【請求項７】
請求項６に記載の音声・画像伝送用フレーム受信装置であって、
前記音声・画像伝送用フレームの間隔は、前記電力線通信が可能な媒体に接続された電源の周期の整数倍である音声・画像伝送用フレーム受信装置。
【請求項８】
音声および画像の一方または双方を複数のチャンネルに分けて記録した音声・画像情報を、前記チャンネルごとに受ける音声・画像情報受理処理と、
前記チャンネルごとの音声・画像情報であるチャンネル音声・画像データを、チャンネル識別情報に対応付けて、チャンネル音声・画像情報を生成するチャンネル音声・画像生成処理と、
複数のチャンネルに関する前記チャンネル音声・画像情報を有する音声・画像伝送用フレームを形成するフレーム形成処理と、
をコンピュータに実行させるためのプログラムであり、
複数の前記音声・画像伝送用フレームにおける前記チャンネル識別情報が、複数のチャンネルの全てに対応するものである、
プログラム。
【請求項９】
複数のチャンネルのうちの一つに対応づけられたチャンネル音声・画像データと、当該チャンネル音声・画像データが対応するチャンネルのチャンネル識別情報と、が記録されたチャンネル音声・画像領域を複数有する音声・画像伝送用フレームを受信する音声・画像伝送用フレーム受信処理と、
受信された前記音声・画像伝送用フレームから、前記複数のチャンネルのうちのいずれか一つ以上である所定の受信対象チャネルに対応する前記チャンネル音声・画像データを取得するチャンネル音声・画像データ取得処理と、
をコンピュータに実行させるためのプログラムであって、
前記チャンネル音声・画像領域の各々には、各々異なる前記チャンネル識別情報が記録されており、
複数の前記音声・画像伝送用フレームにおける前記チャンネル識別情報が、複数のチャンネルの全てに対応するものである、
プログラム。
【発明の詳細な説明】
【技術分野】
【０００１】
本発明はデジタル化された音声・画像信号の送受信に関する。
【背景技術】
【０００２】
従来より、ＩＰパケットの形式のデジタル化された音声データを受信することが知られている（例えば、特許文献１の[0048]を参照）。
【０００３】
さらに、デジタル化された音声データのフレームとして、左音声信号または右音声信号に音声制御情報（左音声信号または右音声信号のいずれであるかを示す情報）および送信先識別子を付加したフレームが知られている（例えば、特許文献２の[0051]、図１０を参照）。
【０００４】
また、音声データの通信技術が、特許文献３、特許文献４に記載されている。
【先行技術文献】
【特許文献】
【０００５】
【特許文献１】特表２００４−５０７９７９号公報
【特許文献２】特開２００６−４１９９７号公報
【特許文献３】特開２００７−６１５５号公報
【特許文献４】特開２００６−３２４８３８号公報
【発明の概要】
【発明が解決しようとする課題】
【０００６】
しかしながら、上記の従来技術によれば、左音声信号または右音声信号といった一つのチャンネルごとに一つのフレームを構成しなければならない。よって、多くのフレームが必要になる。
【０００７】
そこで、本発明は、少ない個数のフレームでデジタルデータ（例えば、音声）を送信または受信することを課題とする。
【課題を解決するための手段】
【０００８】
本発明にかかる音声・画像伝送用フレーム形成装置は、音声および画像の一方または双方を複数のチャンネルに分けて記録した音声・画像情報を、前記チャンネルごとに受ける音声・画像情報受理手段と、前記チャンネルごとの音声・画像情報であるチャンネル音声・画像データを、チャンネル識別情報に対応付けて、チャンネル音声・画像情報を生成するチャンネル音声・画像生成手段と、複数のチャンネルに関する前記チャンネル音声・画像情報を有する音声・画像伝送用フレームを形成するフレーム形成手段と、を備え、複数の前記音声・画像伝送用フレームにおける前記チャンネル識別情報が、複数のチャンネルの全てに対応するものであるように構成される。
【０００９】
上記のように構成された音声・画像伝送用フレーム形成装置によれば、音声・画像情報受理手段が、音声および画像の一方または双方を複数のチャンネルに分けて記録した音声・画像情報を、前記チャンネルごとに受ける。チャンネル音声・画像生成手段が、前記チャンネルごとの音声・画像情報であるチャンネル音声・画像データを、チャンネル識別情報に対応付けて、チャンネル音声・画像情報を生成する。フレーム形成手段が、複数のチャンネルに関する前記チャンネル音声・画像情報を有する音声・画像伝送用フレームを形成する。しかも、複数の前記音声・画像伝送用フレームにおける前記チャンネル識別情報が、複数のチャンネルの全てに対応するものである。
【００１０】
また、本発明にかかる音声・画像伝送用フレーム形成装置は、前記音声・画像伝送用フレームを送信する音声・画像伝送用フレーム送信手段を備えるようにしてもよい。
【００１１】
また、本発明にかかる音声・画像伝送用フレーム形成装置は、前記音声・画像伝送用フレーム送信手段が、電力線通信が可能な媒体を介して、前記音声・画像伝送用フレームを送信するようにしてもよい。
【００１２】
また、本発明にかかる音声・画像伝送用フレーム形成装置は、前記音声・画像伝送用フレームの間隔は、前記電力線通信が可能な媒体に接続された電源の周期の整数倍であるようにしてもよい。
【００１３】
本発明にかかる音声・画像伝送用フレーム受信装置は、複数のチャンネルのうちの一つに対応づけられたチャンネル音声・画像データと、当該チャンネル音声・画像データが対応するチャンネルのチャンネル識別情報と、が記録されたチャンネル音声・画像領域を複数有する音声・画像伝送用フレームを受信する音声・画像伝送用フレーム受信手段と、受信された前記音声・画像伝送用フレームから、前記複数のチャンネルのうちのいずれか一つ以上である所定の受信対象チャネルに対応する前記チャンネル音声・画像データを取得するチャンネル音声・画像データ取得手段と、を備え、前記チャンネル音声・画像領域の各々には、各々異なる前記チャンネル識別情報が記録されており、複数の前記音声・画像伝送用フレームにおける前記チャンネル識別情報が、複数のチャンネルの全てに対応するものであるように構成される。
【００１４】
上記のように構成された音声・画像伝送用フレーム受信装置によれば、音声・画像伝送用フレーム受信手段が、複数のチャンネルのうちの一つに対応づけられたチャンネル音声・画像データと、当該チャンネル音声・画像データが対応するチャンネルのチャンネル識別情報と、が記録されたチャンネル音声・画像領域を複数有する音声・画像伝送用フレームを受信する。チャンネル音声・画像データ取得手段が、受信された前記音声・画像伝送用フレームから、前記複数のチャンネルのうちのいずれか一つ以上である所定の受信対象チャネルに対応する前記チャンネル音声・画像データを取得する。しかも、前記チャンネル音声・画像領域の各々には、各々異なる前記チャンネル識別情報が記録されており、複数の前記音声・画像伝送用フレームにおける前記チャンネル識別情報が、複数のチャンネルの全てに対応するものである。
【００１５】
また、本発明にかかる音声・画像伝送用フレーム受信装置は、前記音声・画像伝送用フレーム受信手段が、電力線通信が可能な媒体を介して、前記音声・画像伝送用フレームを受信するようにしてもよい。
【００１６】
また、本発明にかかる音声・画像伝送用フレーム受信装置は、前記音声・画像伝送用フレームの間隔が、前記電力線通信が可能な媒体に接続された電源の周期の整数倍であるようにしてもよい。
【００１７】
本発明は、音声および画像の一方または双方を複数のチャンネルに分けて記録した音声・画像情報を、前記チャンネルごとに受ける音声・画像情報受理処理と、前記チャンネルごとの音声・画像情報であるチャンネル音声・画像データを、チャンネル識別情報に対応付けて、チャンネル音声・画像情報を生成するチャンネル音声・画像生成処理と、複数のチャンネルに関する前記チャンネル音声・画像情報を有する音声・画像伝送用フレームを形成するフレーム形成処理と、をコンピュータに実行させるためのプログラムであり、複数の前記音声・画像伝送用フレームにおける前記チャンネル識別情報が、複数のチャンネルの全てに対応するものであるプログラムである。
【００１８】
本発明は、複数のチャンネルのうちの一つに対応づけられたチャンネル音声・画像データと、当該チャンネル音声・画像データが対応するチャンネルのチャンネル識別情報と、が記録されたチャンネル音声・画像領域を複数有する音声・画像伝送用フレームを受信する音声・画像伝送用フレーム受信処理と、受信された前記音声・画像伝送用フレームから、前記複数のチャンネルのうちのいずれか一つ以上である所定の受信対象チャネルに対応する前記チャンネル音声・画像データを取得するチャンネル音声・画像データ取得処理と、をコンピュータに実行させるためのプログラムであって、前記チャンネル音声・画像領域の各々には、各々異なる前記チャンネル識別情報が記録されており、複数の前記音声・画像伝送用フレームにおける前記チャンネル識別情報が、複数のチャンネルの全てに対応するものであるプログラムである。
【図面の簡単な説明】
【００１９】
【図１】本発明の実施形態にかかる音声伝送用フレーム通信装置１００の構成を示す機能ブロック図である。
【図２】本発明の実施形態にかかる配信装置１０の構成を示す機能ブロック図である。
【図３】音声伝送用フレームＦの一例を示す図である。
【図４】音声伝送用フレームＦの他の例を示す図である。
【図５】音楽CDの１セクター2352byte（ステレオ）を５分割して200msec間隔で、音声伝送用フレームＦにより伝送する場合の音声伝送用フレームＦの例を示す図である。
【図６】本発明の実施形態にかかる受信装置２０ａの構成を示す機能ブロック図である。
【図７】音声伝送用フレームＦの変形例を示す図である。
【図８】一つの受信装置２０でＣＨ１、ＣＨ２に対応する楽曲データを取得する場合の、受信装置２０の構成を示す図である。
【発明を実施するための形態】
【００２０】
以下、本発明の実施形態を図面を参照しながら説明する。
【００２１】
図１は、本発明の実施形態にかかる音声伝送用フレーム通信装置１００の構成を示す機能ブロック図である。音声伝送用フレーム通信装置１００は、楽曲データ送出装置１、配信装置（音声伝送用フレーム形成装置）１０、受信装置（音声伝送用フレーム受信装置）２０ａ、２０ｂ、スピーカー２ａ、２ｂ、集中制御装置３０、電源線Ｌを備える。
【００２２】
電源線Ｌは、通常の家庭用の電源線で、高速電力線通信が可能なものをさす。電源線Ｌは、配信装置１０、受信装置２０ａ、２０ｂ、集中制御装置３０および商用電源（図示省略）を接続する。電源線Ｌは、配信装置１０、受信装置２０ａ、２０ｂ、集中制御装置３０に電力を供給すると共に、これらの装置間の通信を可能とする。
【００２３】
なお、以後、音声およびその一種である楽曲を取り扱う実施形態を説明する。しかし、音声にかえて画像を取り扱うようにしてもよい。さらに、音声および画像を取り扱うようにしてもよい。すなわち、以後の「音声」との記載は、厳密には「音声・画像」（音声および画像の一方または双方）と記載すべきものである。しかし、記載を簡略にするため、「音声」と記載する。
【００２４】
楽曲データ送出装置１は、音声情報の一種である楽曲データを送出する。なお、楽曲データは、音声の一種である楽曲を複数のチャンネルに分けて記録したものである。例えば、楽曲データは、ステレオならば２チャンネルに分けて記録され、５．１サラウンドシステムであれば６チャンネルに分けて記録される。図１においては、楽曲データが２チャンネルに分けて記録されているとする。なお、２個のチャンネルを、ＣＨ１、ＣＨ２という。
【００２５】
配信装置（音声伝送用フレーム形成装置）１０は、音声伝送用フレームＦを形成する。さらに、配信装置１０は、音声伝送用フレームＦを、電源線Ｌを介して、受信装置２０ａ、２０ｂに送信する。
【００２６】
図２は、本発明の実施形態にかかる配信装置１０の構成を示す機能ブロック図である。配信装置１０は、インタフェース（音声情報受理手段）１２ａ、１２ｂ、電源周波数測定部１４、チャンネル音声生成部１６、フレーム形成部１７、送信部（音声伝送用フレーム送信手段）１８を備える。
【００２７】
インタフェース（音声情報受理手段）１２ａ、１２ｂは、それぞれ、ＣＨ１、ＣＨ２に対応する楽曲データを受ける。ＣＨ１に対応する楽曲データ、および、ＣＨ２に対応する楽曲データを、それぞれ、チャンネル音声データという。インタフェース１２ａ、１２ｂは、それぞれ、チャンネル音声データを受けて、チャンネル音声生成部１６に与える。
【００２８】
電源周波数測定部１４は、電源線Ｌに接続された商用電源の周波数を測定する。
【００２９】
チャンネル音声生成部１６は、チャンネル音声データをインタフェース１２ａ、１２ｂから受け、チャンネル識別情報（例えば、チャンネル番号であり、ＣＨ１ならば１、ＣＨ２ならば２とすることが考えられる）に対応付けて、チャンネル音声情報体を生成する。チャンネル音声生成部１６は、インタフェース１２ａ（１２ｂ）から受けたチャンネル音声データを、チャンネル識別情報１（２）に対応づける。
【００３０】
フレーム形成部１７は、複数のチャンネルに関するチャンネル音声情報体を有する音声伝送用フレームＦを形成する。
【００３１】
図３は、音声伝送用フレームＦの一例を示す図である。図３（ａ）を参照して、音声伝送用フレームＦは、IEEE標準802a-2003にしたがい、フィールドＦ１、Ｆ２、Ｆ３、Ｆ４、Ｆ５、Ｆ６を有する。
【００３２】
フィールドＦ１は、宛先アドレスである。フィールドＦ２は、送信元アドレスである。フィールドＦ１、Ｆ２は周知であり説明を省略する。
【００３３】
フィールドＦ３は、プロトコル認識フィールド（Protocol Identification Field）である。図３（ｂ）を参照して、フィールドＦ３は、フィールドＦ３１、Ｆ３２を有する。フィールドＦ３１はTPIDを記録する部分である。例えば、TPID=88B5(16進数)とする。このTPIDを音声伝送用フレームＦに割り当てる。フィールドＦ３２は、楽曲フォーマットを記録する部分である。例えば、楽曲フォーマットは、チャンネル数、コーディング方式、コーディングbit数およびコーディングレートである。
【００３４】
フィールド（チャンネル音声領域）Ｆ４は、図３（ｂ）を参照して、フィールドＦ４１、Ｆ４２を有する。フィールドＦ４１は、チャンネルＣＨ１に対応するチャンネル識別情報としてチャンネル番号１を記録する。フィールドＦ４２は、チャンネルＣＨ１に対応するチャンネル音声データ（楽曲データ）を記録する。なお、フィールドＦ４１に、チャンネル識別情報に加えて、楽曲データの音量を示す情報を記載してもよい。
【００３５】
フィールド（チャンネル音声領域）Ｆ５は、フィールドＦ４と同様であるが、チャンネルＣＨ２に対応するチャンネル番号２およびチャンネル音声データを記録する。このように、フィールドＦ５におけるチャンネル識別情報（２）は、フィールドＦ４におけるチャンネル識別情報（１）とは異なる。このように、フィールド（チャンネル音声領域）Ｆ４、Ｆ５には各々異なるチャンネル識別情報が記録されている。
【００３６】
なお、フィールド（チャンネル音声領域）Ｆ４、Ｆ５は、チャンネル音声生成部１６により形成される。
【００３７】
フィールドＦ６は、FCS(Frame Check Sequence)である。フィールドＦ６は周知であり説明を省略する。
【００３８】
図３に示す音声伝送用フレームＦによれば、一つの音声伝送用フレームＦにおけるチャンネル識別情報（フィールド（チャンネル音声領域）Ｆ４、Ｆ５に記録されている）が、複数のチャンネルの全てであるＣＨ１、ＣＨ２に対応するものである。すなわち、一つの音声伝送用フレームＦに全てのチャンネルに対応する楽曲データが記録されている。
【００３９】
図４は、音声伝送用フレームＦの他の例を示す図である。図４（ａ）を参照して、音声伝送用フレームＦは、IEEE標準802.1QにしたがうタグVLANのフレームフォーマットであり、フィールドＦ１、Ｆ２、Ｆ７、Ｆ４、Ｆ５、Ｆ６を有する。フィールドＦ１、Ｆ２、Ｆ４、Ｆ５、Ｆ６は図３と同様であり説明を省略する。
【００４０】
フィールドＦ７は、図４（ｂ）を参照して、フィールドＦ７１、Ｆ７２、Ｆ７３、Ｆ７４を有する。フィールドＦ７１はTPID(Tag Protocol IDentifier)を記録する部分である。例えば、TPID = 8100(16進数)として、タグ付きフレームとする。フィールドＦ７２は、TCI(Tag Control Information)の部分であり、VLAN(Virtual Local Area Network)のIDを指定する。ある一つのIDに、音声伝送用フレームＦの送受信専用のVLANを割り当てることができる。そのIDを、フィールドＦ７２に記録すれば、フレームが音声伝送用フレームＦとして使用されることがわかる。TCIの最初の3bitにPCP(Priority Code Point)の特定のコードを記録して、音声伝送用フレームＦの優先度を高めることもできる。フィールドＦ７３は、パケットの長さを記録してもよいし、88B5(16進数)を記録してもよい。フィールドＦ７４は、楽曲フォーマットを記録する部分である。例えば、楽曲フォーマットは、チャンネル数、コーディング方式、コーディングbit数およびコーディングレートである。
【００４１】
なお、図３、図４のいずれにおいても、電源線Ｌでのアクセス方式に関わるヘッダをプリアンブルとして、フィールドＦ１よりも前に付加してもよい。なお、プリアンブル自体は周知なので、説明を省略する。
【００４２】
図５は、音楽CDの１セクター2352byte（ステレオ）を５分割して200msec間隔で、音声伝送用フレームＦにより伝送する場合の音声伝送用フレームＦの例を示す図である。なお、200mseは、商用電源50Hzの地域で電源周期の10周期分に相当する。図５に示す例は、商用電源50Hzの地域において有効なものである。ただし、図５に示す音声伝送用フレームＦはIEEE標準802a-2003（図３参照）にしたがっている。
【００４３】
図５（ａ）、図５（ｂ）、図５（ｃ）、図５（ｄ）に示すように、４個の音声伝送用フレームＦに、ＣＨ１、ＣＨ２に対応する楽曲データを472byte分記録する。そして、図５（ｅ）に示すように、最後の１個の音声伝送用フレームＦに、ＣＨ１、ＣＨ２に対応する楽曲データを464byte分記録する。１個の音声伝送用フレームＦにおける楽曲データのサイズは他にも色々考えられる。例えば、音楽CDの１セクター2352byte（ステレオ）を、250msec間隔で、588byteずつ４個の音声伝送用フレームＦで送ることも考えられる。例えば、音楽CDの１セクター2352byte（ステレオ）を、120msec間隔で、294byteずつ８個の音声伝送用フレームＦで送ることも考えられる。ただし、８個目の音声伝送用フレームＦから160msec間隔で、次の１個目の音声伝送用フレームＦを送信する。
【００４４】
なお、商用電源60Hzの地域では、1/6sec間隔で、６個の音声伝送用フレームＦに392byte分づつＣＨ１、ＣＨ２に対応する楽曲データを記録する。その他にも、125msec間隔で、８個の音声伝送用フレームＦに294byte分づつＣＨ１、ＣＨ２に対応する楽曲データを記録する。
【００４５】
このように、商用電源の周波数に応じて、一個の音声伝送用フレームＦに記録される楽曲データのサイズが異なる。よって、チャンネル音声生成部１６は、電源周波数測定部１４から測定結果を受けて、チャンネル音声情報体に記録する楽曲データのサイズを決定する。
【００４６】
ただし、商用電源の周波数に関わらず、200msec間隔で、８個の音声伝送用フレームＦに236byte分づつＣＨ１、ＣＨ２に対応する楽曲データを記録し、さらに２個の音声伝送用フレームＦに232byte分づつＣＨ１、ＣＨ２に対応する楽曲データを記録する。
【００４７】
図６は、本発明の実施形態にかかる受信装置２０ａの構成を示す機能ブロック図である。受信装置（音声伝送用フレーム受信装置）２０ａは、インタフェース２２、チャンネル音声データ取得部２６、同期部２７、受信部（音声伝送用フレーム受信手段）２８を備える。
【００４８】
受信部（音声伝送用フレーム受信手段）２８は、電源線Ｌから音声伝送用フレームＦを受信する。ただし、受信部２８は、フィールドＦ１、Ｆ２、Ｆ３（またはＦ７）に基づき、受信装置２０ａが受信すべきフレームのみを受信するようにしてもよい。
【００４９】
チャンネル音声データ取得部２６は、受信された音声伝送用フレームＦから、複数のチャンネルＣＨ１、ＣＨ２のうちのいずれか一つ以上である所定の受信対象チャネルに対応する楽曲データを取得する。例えば、受信装置２０ａの受信対象チャネルがＣＨ１、受信装置２０ｂの受信対象チャネルがＣＨ２である。取得した楽曲データはバッファ（図示省略）に記録する。なお、チャンネル音声データ取得部２６は、フィールドＦ３２（Ｆ７４）の楽曲フォーマットに基づいて楽曲データを取得するようにしてもよい。
【００５０】
インタフェース２２は、チャンネル音声データ取得部２６が取得した楽曲データをスピーカー２ａに与える。
【００５１】
スピーカー２ａは、受信装置２０ａからＣＨ１に対応した楽曲データを受けて、音声として出力する。
【００５２】
受信装置（音声伝送用フレーム受信装置）２０ｂは、受信装置２０ａと同じ構成であり説明を省略する。
【００５３】
スピーカー２ｂは、受信装置２０ｂからＣＨ２に対応した楽曲データを受けて、音声として出力する。
【００５４】
なお、受信装置２０ａ、２０ｂにおいては、周知のビーコン情報を用いて、スピーカー２ａ、２ｂから出力される音声を、同期部２７によって、同期させることが好ましい。同期部２７は、受信部２８を介してビーコン情報を受信する。さらに、同期部２７は、インタフェース２２から楽曲データが出力されるタイミングを、ビーコン情報に基づき制御する。
【００５５】
また、画像情報をフレームに記録する場合は、スピーカー２ａ、２ｂにかえて、ディスプレイを用いる。
【００５６】
また、受信装置２０ａ、２０ｂは、アンプの内部に実装されていてもよいし、100Base-T（IEEE802.3標準を参照）形式のパケットを受ける装置でもよい。ただし、受信装置２０ａ、２０ｂが100Base-T形式のパケットを受ける装置である場合、受信装置２０と電源線Ｌとの間に、電源線Ｌ上の電力線伝送信号を100Base-T形式に変換するアダプタを配置するものとする。
【００５７】
集中制御装置３０は、音声伝送用フレームＦの送受信を制御する。例えば、集中制御装置３０は、配信装置１０の送信部１８から接続要求パケットを受ける。その後、集中制御装置３０は、配信装置１０の送信する音声伝送用フレームＦおよびその他の送信すべきフレーム（電源線Ｌには図示省略した他の送信元が接続されているが、その送信元が送信すべきフレーム）の情報量の総和が、電源線Ｌで伝送可能な情報量以下であれば、配信装置１０に音声伝送用フレームＦの送信を許諾する旨を示す受諾パケットを配信装置１０に送る。なお、配信装置１０による音声伝送用フレームＦの送信が終わると、配信装置１０からその旨を示すパケットが集中制御装置３０に送られる。集中制御装置３０は、送信すべきフレームの情報量の総和を、音声伝送用フレームＦの分だけ減ずる。
【００５８】
集中制御装置３０は、配信装置１０の内部に実装してもよい。
【００５９】
次に、本発明の実施形態の動作を説明する。
【００６０】
配信装置１０から音声伝送用フレームＦを送信することの許諾が、集中制御装置３０からなされると、配信装置１０は楽曲データ送出装置１から、ＣＨ１に対応する楽曲データ（チャンネル音声データ）、および、ＣＨ２に対応する楽曲データ（チャンネル音声データ）を受ける。ＣＨ１、ＣＨ２に対応する楽曲データは、インタフェース１２ａ、１２ｂを介して、チャンネル音声生成部１６に与えられる。
【００６１】
また、電源周波数測定部１４は、電源線Ｌに接続された商用電源の周波数を測定する。
【００６２】
チャンネル音声生成部１６は、チャンネル音声情報体（図３、図４のフィールドＦ４、Ｆ５参照）を生成する。チャンネル音声情報体の楽曲データの大きさは、測定された商用電源の周波数に応じて、決定される（図５参照）。フレーム形成部１７は、チャンネル音声情報体を受け、音声伝送用フレームＦを形成する（図３、図４参照）。音声伝送用フレームＦには、複数のチャンネルＣＨ１、ＣＨ２に対応する楽曲データが記録されている。音声伝送用フレームＦは、送信部１８により送信される。
【００６３】
音声伝送用フレームＦは、電源線Ｌを介して、受信装置２０ａ、２０ｂの受信部２８により受信される。受信された音声伝送用フレームＦから、チャンネル音声データ取得部２６が、受信対象チャネル（受信装置２０ａ：ＣＨ１、受信装置２０ｂ：ＣＨ２）の楽曲データを取得し、インタフェース２２を介して、スピーカー２ａ、２ｂに与える。スピーカー２ａ、２ｂが、それぞれ、ＣＨ１、ＣＨ２の楽曲データを再生する。
【００６４】
本発明の実施形態によれば、一つのチャンネルごとに音声伝送用フレームＦを形成することなく、複数のチャンネルＣＨ１、ＣＨ２ごとに音声伝送用フレームＦを形成するので、音声伝送用フレームＦの個数を少なくすることができる。
【００６５】
なお、上記の説明では、一つの音声伝送用フレームＦに全てのチャンネルＣＨ１、ＣＨ２に対応する楽曲データが記録されている。しかし、複数の音声伝送用フレームＦに全てのチャンネルに対応する楽曲データが記録されているようにしてもよい。
【００６６】
図７は、音声伝送用フレームＦの変形例を示す図である。楽曲データが、５．１サラウンドシステムに即して、６チャンネル（ＣＨ１、ＣＨ２、ＣＨ３、ＣＨ４、ＣＨ５、ＣＨ６）に分けて記録されているとする。
【００６７】
ここで、音声伝送用フレームＦは、図７（ａ）に示すように、フィールドＦ４、Ｆ５、Ｆ５０に、ＣＨ１、ＣＨ２、ＣＨ３に対応する楽曲データを記録するものと、図７（ｂ）に示すように、フィールドＦ４、Ｆ５、Ｆ５０に、ＣＨ４、ＣＨ５、ＣＨ６に対応する楽曲データを記録するものとがあるようにしてもよい。すなわち、２個の音声伝送用フレームＦに全てのチャンネルＣＨ１〜ＣＨ６に対応する楽曲データが記録されているようにしてもよい。
【００６８】
一つのチャンネルごとに音声伝送用フレームＦを形成する場合に比較すると、図７に示すような場合でも、音声伝送用フレームＦの個数を少なくすることができる。
【００６９】
また、上記の説明では、一つの受信装置２０ａ（２０ｂ）が一つのチャンネルに対応する楽曲データを取得していたが、一つの受信装置２０で複数のチャンネルに対応する楽曲データを取得してもよい。
【００７０】
図８は、一つの受信装置２０でＣＨ１、ＣＨ２に対応する楽曲データを取得する場合の、受信装置２０の構成を示す図である。
【００７１】
受信部２８は、電源線Ｌから音声伝送用フレームＦを受信する。
【００７２】
チャンネル音声データ取得部２６は、受信された音声伝送用フレームＦから、ＣＨ１、ＣＨ２に対応する楽曲データを取得する。
【００７３】
インタフェース２２ａは、チャンネル音声データ取得部２６が取得した楽曲データ（ＣＨ１に対応するもの）をスピーカー２ａに与える。
【００７４】
インタフェース２２ｂは、チャンネル音声データ取得部２６が取得した楽曲データ（ＣＨ２に対応するもの）をスピーカー２ｂに与える。
【００７５】
なお、スピーカー２ａ、２ｂは、ヘッドセットでもよい。
【００７６】
また、電源線Ｌによる高速電力線通信のかわりに、通常の有線ＬＡＮ、無線ＬＡＮでもよい。
【００７７】
また、上記の実施形態は、以下のようにして実現できる。ＣＰＵ、メモリを備えたコンピュータに、上記の各部分（例えば、配信装置１０、受信装置２０、２０ａ、２０ｂ）を実現するプログラムを記録したメディアを読み取らせて、メモリにインストールする。このような方法でも、上記の機能を実現できる。
【符号の説明】
【００７８】
１００  音声伝送用フレーム通信装置
１０  配信装置（音声伝送用フレーム形成装置）
１２ａ、１２ｂ  インタフェース（音声情報受理手段）
１４  電源周波数測定部
１６  チャンネル音声生成部
１７  フレーム形成部
１８  送信部（音声伝送用フレーム送信手段）
２０、２０ａ、２０ｂ  受信装置（音声伝送用フレーム受信装置）
２２  インタフェース
２６  チャンネル音声データ取得部
２７  同期部
２８  受信部（音声伝送用フレーム受信手段）
３０  集中制御装置
１  楽曲データ送出装置
２ａ、２ｂ  スピーカー
Ｌ  電源線
ＣＨ１、ＣＨ２  チャンネル
Ｆ  音声伝送用フレーム
Ｆ４、Ｆ５  フィールド（チャンネル音声領域）
【図１】
2012133369.tif 000003
【図２】
2012133369.tif 000004
【図３】
2012133369.tif 000005
【図４】
2012133369.tif 000006
【図５】
2012133369.tif 000007
【図６】
2012133369.tif 000008
【図７】
2012133369.tif 000009
【図８】
2012133369.tif 000010